(57)【特許請求の範囲】
【請求項１】
日系キーボードを有するMac OS X v10.4バージョン及びその後続バージョンに適用する自動実行式のフラッシュメモリの実行方法であって、
ＩＣ回路モジュールの複数金属タッチポイントがコンピュータのソケットに電気的に接続されるステップ１と、
電力が導通するステップ２と、
前記ＩＣ回路モジュールのコントロール素子のヒューマンインターフェースデバイスモジュールが自主的にコンピュータに対してヒューマンインターフェースデバイス（ＨＩＤ）のリクエストを受けて接続したことを提示するステップ３と、
前記コントロール素子の自動キーインモジュールが英数字キーのキーイン指令を出すステップ４と、
前記自動キーインモジュールが、Commandキー及びSpace barキーのキーイン指令を出すか、Ctrlキー及びSpace barキーのキーイン指令を出すことにより、検索ダイアログボックスを開き、前記検索ダイアログボックスを入力状態にするステップ５と、
前記自動キーインモジュールが、前記検索ダイアログボックスにおいて、type:safari.appの文字列をキーインし、さらにEnterキーの指令をキーインするステップ６と、
前記コンピュータが、ステップ６に基づき、特定ブラウザを起動させるステップ７と、
前記自動キーインモジュールが、Commandキー及びLキーのキーイン指令を出すことで、前記特定ブラウザのアドレスを入力状態にするステップ８と、
前記サイトアドレスにおいて、前記自動キーインモジュールが特定のサイトアドレスの文字列をキーインすることを提示し、さらに続いて、Enterキーの指令をキーインすることで、前記特定サイトアドレスのホームページに接続するステップ９とを備えることを特徴とする自動実行式のフラッシュメモリの実行方法。
【請求項２】
ステップ9の後に、前記ホームページの入力ボックスを入力状態にすることで、前記自動キーインモジュールに第一特定データの文字列のキーイン指令を出させることを特徴とする請求項１に記載の自動実行式のフラッシュメモリの実行方法。
【請求項３】
前記自動キーインモジュールに、続いて少なくとも１個のTabキーのキーイン指令を出させ、次に第二特定データの文字列のキーイン指令を出させることを特徴とする請求項２に記載の自動実行式のフラッシュメモリの実行方法。
【請求項４】
ステップ9の後に、前記自動キーインモジュールに、続いてCommandキー及びPキーのキーイン指令を出させ、さらに、Enterキーのキーイン指令を出させることで、前記ホームページをプリントアウトすることを特徴とする請求項１に記載の自動実行式のフラッシュメモリの実行方法。
【請求項５】
前記ＩＣ回路モジュールは、USBデータ転送インターフェースに適合するプラグであることにより、前記金属タッチポイントを介してコンピュータのUSBデータ転送インターフェースのソケットに電気的に接続されることを特徴とする請求項１に記載の自動実行式のフラッシュメモリの実行方法。
【発明の詳細な説明】
【技術分野】
【０００１】
本発明は、USBデータ転送インターフェースに適合するプラグのフラッシュメモリに関し、特に、自動実行式フラッシュメモリの実行方法に関する。本発明が日系キーボードのMac OS X v10.4バージョン及びその後続バージョンを有するコンピュータのUSBソケットに挿入されて電気的に接続されると、前記コンピューターはユーザーの操作を介さずに、自動実行によりブラウザのプログラムが起動されると同時に、特定サイトアドレスまたは特定登録データが自動キーインされるという特徴を有する。
【背景技術】
【０００２】
インターネット時代の到来に伴い、情報シェアのスピードアップが図られ、ＩＴ技術の普及や進歩もさらに進みつつある。コンピュータ（computer）、通信（Communications）及び大衆消費電子製品（Consumer-Electronics)等の製品は、いずれも現代人の生活に広く浸透している。
【０００３】
日常生活において、コンピュータ、携帯電話等の各種電子機器は、すでに個人、家庭、企業から政府機関に至るまで、普遍的に利用されており、それらの情報は、インターネットを介して処理される。その内容は、衣、食、住、旅行や交通、教育、さらに娯楽等に至るまで多岐にわたっている。
【０００４】
例を挙げれば、専属のサイトやブログを立ち上げた場合の情報のやり取りや展示のプラットホーム、ネット販売（ショッピング）、ネットオークション等を行う際の商品やサービスの宣伝、販売（バーチャル）のためのプラットホーム、さらには、ネットバンク、オンラインゲーム、ネット上でバーチャルコインやポイントを交換するサイトのような新しいプラットホームとして使用されている外、またさらには、公的機関の電子認証サービスシステムのように、インターネットを介して、所得税納税、個人データの保護または各種費用納付、職歴記録明細等の事務等の政府関連事務を行ったりする。
【０００５】
これらのやり取りの過程では、往々にして金銭、利益または個人データ（例えば、口座番号、暗証番号）のやり取りに関わるため、これら価値を有するデータ情報は随時犯罪者に利用される危険性を有する。一般的には、これらの犯罪者は、画面の盗撮、トロイの木馬によるクラッキング、ハッキング、フィッシングサイト(Phishing Site)や悪質ソフトウェア(malicious software)による不法アクセス等の方法によって、他人のデータ情報を取得して、情報を売買したり犯罪に利用したりする。
【０００６】
情報保護担当者は、ユーザーの重要データ情報がインターネット上でやり取りされる過程で不正入手されるのを回避するために様々な対応を行っているものの、その方法は往々にして特定の攻撃手段に対してのみで、完全に上述の犯罪行為に完全に対処することは不可能である。
【０００７】
また、USBフラッシュメモリは、軽薄短小の特性を有して、移動性に優れているため、これまで主にデータの保存や読み取り、伝送に運用されて来たが、インターネット使用環境における安全性またはネットマーケティング等における使用状況は適切であるとは言えない。
【０００８】
このため、上述の問題を鑑み、ユーザーに良好なインターネット環境を提供して、ネット環境の安全性及びネットマーケティング等の問題を解決し、ユーザーが安心して利用できるネット環境を提供する必要がある。
【先行技術文献】
【特許文献】
【０００９】
【特許文献１】特開２００６−４０４９号公報
【発明の概要】
【発明が解決しようとする課題】
【００１０】
したがって、本発明は、ユーザーに良好なインターネット環境を提供して、ネット環境の安全性及びネットマーケティング等の問題を解決する自動実行式のフラッシュメモリの実行方法を提供することを課題とする。
【課題を解決するための手段】
【００１１】
本発明の自動実行式のフラッシュメモリの実行方法は、Mac OS X v10.4バージョン及びその後続バージョンを有するコンピュータに電気的に接続されると、前記コンピューターはユーザーの操作を介さずに、自動実行によりブラウザのプログラムが起動されると同時に、特定サイトアドレスまたは特定登録データが自動キーインされることを特徴とする。
【００１２】
したがって、本発明の自動実行式のフラッシュメモリの実行方法は、他人が悪質な手段でユーザーのデータ情報を不正入手するのを回避することで、ユーザーのデータ情報の安全を保護して、個人情報及びインターネット使用における安全性を確保する。
【００１３】
さらに、本発明の自動実行式のフラッシュメモリの実行方法は、いかなる特定の登録データ（例えば、アカウント、パスワード）やアドレスを記憶しなくても、特定ブラウザを介して、特定サイトの内容を閲覧することができて、ユーザーが登録データを忘れたり、遺失したりする問題がなく、インターネット利用における利便性を高める。
【００１４】
またさらに、本発明の自動実行式のフラッシュメモリの実行方法は、ユーザーがいかなる特定の登録データ（例えば、アカウント、パスワード）またはサイトアドレスを記憶しなくても、特定ブラウザを介して、特定サイトの内容を閲覧することができて、ユーザーがインターネットを使用する際の利便性を高める。このため、業者にとって、ネットマーケティングを効果的に進めることが可能である。
【００１５】
上記目的を達成するため、本発明が使用する主な技術手段は、以下の技術方案を採用して実現させる。
本発明に記載の自動実行式のフラッシュメモリの実行方法は、Mac OS X v10.4バージョン及びその後続バージョンに適用される。その実行方法は、以下のステップを備える。ステップ1：ＩＣ回路モジュールの複数金属タッチポイントがコンピュータのソケットに電気的に接続される。ステップ2：電力が導通する。ステップ3：前記ＩＣ回路モジュールのコントロール素子のヒューマンインターフェースデバイス（ＨＩＤ）モジュールが自主的にコンピュータに対してヒューマンインターフェースデバイス（ＨＩＤ）のリクエストを受けて接続したことを提示する。ステップ4：前記コントロール素子の自動キーインモジュールが英数字キーのキーイン指令を出す。ステップ5：前記自動キーインモジュールがCommandキー及びSpace barキーのキーイン指令を出すか、Ctrlキー及びSpace barキーのキーイン指令を出すことにより、検索ダイアログボックスを開き、前記検索ダイアログボックスを入力状態にする。ステップ6：前記自動キーインモジュールが、前記検索ダイアログボックスにおいて、type:safari.appの文字列をキーインし、さらにEnterキーの指令をキーインする。ステップ7：前記コンピュータが、ステップ６に基づき、特定ブラウザを起動させる。ステップ8：前記自動キーインモジュールが、Commandキー及びLキーのキーイン指令を出すことで、前記特定ブラウザのアドレスを入力状態にする。ステップ9：前記サイトアドレスにおいて、前記自動キーインモジュールが特定のサイトアドレスの文字列をキーインすることを提示し、さらに続いて、Enterキーの指令をキーインすることで、前記特定サイトアドレスのホームページに接続する。
【００１６】
本発明の目的及び従来の技術が有する問題を解決するために、さらに、以下の技術方法のステップを採用することによりこれを実現する。
【００１７】
前述の自動実行式のフラッシュメモリの実行方法のうち、ステップ9の後に、前記ホームページの入力ボックスを入力状態にすることで、前記自動キーインモジュールに第一特定データの文字列のキーイン指令を出させる。
【００１８】
前述の自動実行式のフラッシュメモリの実行方法のうち、前記自動キーインモジュールに、続いて少なくとも１個のTabキーのキーイン指令を出させ、次に第二特定データの文字列のキーイン指令を出させる。
【００１９】
前述の自動実行式のフラッシュメモリの実行方法のうち、ステップ9の後に、前記自動キーインモジュールに、続いてCommandキー及びPキーのキーイン指令を出させ、さらに、Enterキーのキーイン指令を出させることで、前記ホームページをプリントアウトする。
【００２０】
前述の自動実行式のフラッシュメモリの実行方法のうち、前記ＩＣ回路モジュールは、USBデータ転送インターフェースに適合するプラグであることにより、前記金属タッチポイントを介してコンピュータのUSBデータ転送インターフェースのソケットに電気的に接続される。      
【００２１】
従来の技術に比べて、本発明が、Mac OS X v10.4バージョン及びその後続バージョンに電気的に接続されて、日系キーボード配列のコンピュータを有する時、前記コンピュータは、ユーザーの操作を必要とせずに、自動実行でブラウザのプログラムを起動させると同時に、特定サイトアドレスまたは特定登録データの自動キーイン(同時に読み込む)を行う。
【発明の効果】
【００２２】
このため、本発明は、(1) 他人がユーザーのデータ情報を不正取得するのを防止することで、ユーザーのデジタル情報の安全性を保障して、インターネット使用の際の安全性を確保する効果を有する。(2)ユーザーは、いかなる特定の登録データ（例えば、アカウント、パスワード）またはサイトアドレスをも覚える必要がなく、ただちに特定ブラウザを介して特定サイトアドレスの内容を閲覧できて、ユーザーが登録データを忘れたり、遺失したりする問題が発生せず、インターネット使用における利便性を高める。(3)ユーザーは、いかなる特定の登録データ（例えば、アカウント、パスワード）またはサイトアドレスをも記憶する必要がなく、特定ブラウザを介して特定サイトアドレスの内容を閲覧することが可能であるため、ユーザーは後続のインターネット作業が便利に行えることで、業者にとっては効果的にネットマーケティングを展開させることができる。
【発明を実施するための最良の形態】
【００２３】
本発明の目的、特徴及び効果をわかりやすく説明するために、以下に、本発明の好適な実施形態を示す。
図1から図４に示したのは、本発明の自動実行式のフラッシュメモリ（1）である。本発明の自動実行式のフラッシュメモリは、Mac OS X v10.4バージョン及びその後続のバージョンに適用する主な実施形態である。先ず、図1から図３を参照しながら説明する。本発明は、ＩＣ回路モジュール（10）を備え、基板（11）、少なくとも１個のメモリチップ（12）、少なくとも１個のコントロール素子（13）及び複数の金属タッチポイント（14）を備える。このうち、メモリチップ（12）及びコントロール素子（13）は、基板（11）の内表面（111）に設置される。金属タッチポイント（14）は、基板（11）の外表面（112）に設置されて、且つ、メモリチップ（12）、コントロール素子（13）及び金属タッチポイント（14）は、基板（11）の電子回路を介して電気的に接続される。
【００２４】
好適には、ＩＣ回路モジュール（10）は、USBデータ転送インターフェースのプラグに適合するものが望ましい。このうち、前記金属タッチポイント（14）は、コンピュータ（2）のＵＳＢデータ転送インターフェース用ポートのソケット（20）に電気的に接続するのに用いられる。
【００２５】
さらに、メモリチップ（12）は、デジタルデータの読み取り／書き込みに供し、本実施形態中では、主に複数のキーインデータ（121）を保存するのに用いられる。このうち、前記キーインデータ（121）は、Commandキー及びSpace barキーの指令のキーインの順序通りか、または、Ctrlキー及びSpace barキーの指令のキーインの順序通りか、type:safari.appの文字列及びEnterキーの指令のキーインの順序通りか、Commandキー及びLキーの指令のキーインの順序通りか、特定サイトアドレスの文字列及びEnterキーの指令のキーインの順序通りか、第一特定データの文字列の指令のキーインの順序通りか、少なくとも１個のTabキー及び第二特定データ文字列の指令のキーインの順序通りか、または、Commandキー及びP鍵キー及びEnterキーの指令のキーインの順序通りを含む。
【００２６】
また、コントロール素子（13）は、メモリチップ（12）と金属タッチポイント（14）の間に電気的に接続されて、データの流入と流出を指令し、コントロールする。前記コントロール素子（13）は、ユーザーインターフェースデバイスモジュール（131）及び自動キーインモジュール（132）を含む。このうち、自動キーインモジュール（132）は、前記メモリチップ（12）に保存されたキーインデータ（121）のいずれかの一つを読み取って、データの流入と流出の指令及びコントロールを判断する。
【００２７】
次に、図４を参照する。図４は、本発明の自動実行式のフラッシュメモリの実行方法であり、日系キーボードを有するMac OS X v10.4バージョン及びその後続バージョンに適用する。
【００２８】
MACコンピュータの場合、全ての文字の一つずつが、国別の言語系統によって異なり、そのMACコンピュータのキーボード(HID)上の位置も異なる。また、国別の言語系統が異なることで、文字また符号のキーボードの配置も異なる。このため、文字または符号の一つずつが対応するキーコード(keycode)は、国別の言語系統によって異なる。これにより、ユーザーインターフェースデバイスモジュール（131）は、国別で使用されるキーボードの配置によってあらかじめ文字または符号とコードの関係が定義づけられている。本実施形態の場合、ユーザーインターフェースデバイスモジュール（131）は、日系キーボードの配置によって、あらかじめ文字または符号とコードの関係が定義づけられている。
【００２９】
さらに、本発明の実行のステップは、以下のステップを備える。ＩＣ回路モジュール（10）の複数の金属タッチポイント（14）がコンピュータ（2）のソケット（20）に電気的に接続される（ステップ1：301）。互いに電力が導通する（ステップ2：302）。ＩＣ回路モジュール（10）のコントロール素子（13）のユーザーインターフェースデバイスモジュール（131）が自主的にコンピュータ（2）に対して、ヒューマンインターフェースデバイス(Human Interface Device，HID)のリクエストを受けて接続したことを提示する（303）。本実施形態において、ユーザーインターフェースデバイスモジュール（131）は、バーチャルキーボードである。次に、コントロール素子（13）の自動キーインモジュール（132）が英数字キーのキーイン指令を出す（ステップ4：304）。次に、自動キーインモジュール（132）がCommandキー及びSpace barキーのキーイン指令を出すか、Ctrlキー及びSpace barキーのキーイン指令を出すかすることで、検索ダイアログボックスを開き、前記検索ダイアログボックスを入力状態にする（ステップ5：305）。次に、前記自動キーインモジュール（132）が前記検索該ダイアログボックス中に、type:safari.appの文字列をキーインし、さらにEnterキーの指令をキーインする指令を出す（ステップ6：306）。次に、コンピュータが特定ブラウザを起動させる（ステップ7：307）。本実施形態において言えば、safariブラウザの場合を例とする。次に、前記特定ブラウザのアドレスの文字列を入力状態にする。自動キーインモジュール（132）が、Commandキー及びLキーをキーインする指令を出すことで、前記特定ブラウザのサイトアドレス文字列を入力状態にする（ステップ8：308）。好適には、自動キーインモジュール（132）は、連続してCommandキー及びLキーを2回または2回以上キーインする指令を出して、サイトアドレス文字列の入力状態を確保することが望ましい。次に、自動キーインモジュール（132）が、特定サイトアドレス文字列を前記サイトアドレス文字列中にキーインし、さらに、Enterキーの指令をキーインすることで、前記特定サイトアドレスの文字列のホームページに接続する（ステップ9：309）。
【００３０】
好適には、ステップ9の後に、さらに、ホームページの入力ボックスを入力状態にして、  自動キーインモジュール（132）に第一特定データ文字列のキーイン指令を出させ、さらに続けて、自動キーインモジュール（132）に少なくとも１個のTabキーのキーイン指令を出させ、さらに、第二特定データ文字列のキーイン指令を出させることが望ましい。詳細に述べれば、キーインされる第一特定データの文字列は、ユーザーアカウントであり、キーインされる第二特定データ文字列はユーザーのパスワードである。
【００３１】
または、ステップ9の後に、自動キーインモジュール（132）に、Commandキー及びPキーのキーイン指令を出させ、さらに続いて、Enterキーのキーイン指令を出させて、前記ホームページをプリントアウトする。
【００３２】
本発明の主な実施形態の内容から、本発明は、自動実行式のフラッシュメモリの実行方法を提供するものであり、ユーザーが、本発明をMac OS X v10.4バージョン及びその後続バージョンに適用し、日系キーボードを有するコンピュータに電気的に接続させると、前記コンピュータは、ユーザーの操作を必要とせずに、自動的にブラウザが実行されて、自動的に特定サイトアドレスまたは特定登録データのキーイン（同時に読み込む）が行なわれる。
【００３３】
本発明は、ユーザーが手動でいかなるデジタルデータをも入力する必要がなく、自動的に特定ホームページへの登録を完了させることが可能である。このため、本発明は、(1) 他人がユーザーのデータ情報を不正取得するのを防止することで、ユーザーのデジタル情報の安全性を保障して、インターネット使用の際の安全性を確保する効果を有する。(2)ユーザーは、いかなる特定の登録データ（例えば、アカウント、パスワード）またはサイトアドレスをも覚える必要がなく、ただちに特定ブラウザを介して特定サイトアドレスの内容を閲覧できて、ユーザーが登録データを忘れたり、遺失したりする問題が発生せず、インターネット使用における利便性を高める。(3)ユーザーは、いかなる特定の登録データ（例えば、アカウント、パスワード）またはサイトアドレスをも記憶する必要がなく、特定ブラウザを介して特定サイトアドレスの内容を閲覧することが可能であるため、ユーザーは後続のインターネット作業が便利に行えることで、業者にとっては効果的にネットマーケティングを展開させることができる。
【００３４】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００３５】
【図１】本発明の自動実行式のフラッシュメモリの実行方法における主な実施型態のＩＣ回路モジュールの断面図である。
【図２】本発明の自動実行式のフラッシュメモリの実行方法における主な実施型態のＩＣ回路モジュールがコンピュータのソケットに挿入されて電気的に接続した状態を示した断面図である。
【図３】本発明の自動実行式のフラッシュメモリの実行方法における主な実施型態を示したブロック図である。
【図４】本発明の自動実行式のフラッシュメモリの実行方法における主な実施型態の実行フロー図である。
【符号の説明】
【００３６】
10    ＩＣ回路モジュール 
11     基板
111     内表面
112     外表面
12     メモリチップ
121  キーインデータ
13     コントロール素子
131     ユーザーインターフェースデバイスモジュール
132     自動キーインモジュール
14     金属タッチポイント
2     コンピュータ
20     ソケット       
301   ＩＣ回路モジュールの複数金属タッチポイントがコンピュータのソケットに挿入される。
302     電力が導通する。
303   ヒューマンインターフェースデバイス（ＨＩＤ）モジュールが自主的にコンピュータに対してヒューマンインターフェースデバイス（ＨＩＤ）のリクエストを受けて接続したことを提示する。
304     自動キーインモジュールが英数字キーのキーイン指令を出す。
305   検索ダイアログボックスを開き、前記検索ダイアログボックスを入力状態にする。
306    type:safari.appの文字列をキーインし、さらにEnterキーの指令をキーインする。
307     特定ブラウザを起動させる。
308     前記特定ブラウザのアドレスの文字列を入力状態にする。
309     前記特定サイトアドレスのホームページに接続する。    
【図１】
0005517317.tif 000002
【図２】
0005517317.tif 000003
【図３】
0005517317.tif 000004
【図４】
0005517317.tif 000005